(57)【要約】スライドドア(４、５)用の嵌合具は、少なくとも１つのローラ(１３)を備えた走行部品(１０、４０)が移動可能な少なくとも１つの通路を有するレール(３)を有し、走行部品(１０、４０)は金属板から作られるホルダ(１１、４１)及びアダプタ(１４、４４)を有し、少なくとも１つの保持手段(２０、２８、５２、５３、５５)がアダプタ(１４、４４)上に配備されて、少なくとも１つの更なる機能部品(１７、２１、２４、２６、３０、４７、５０、５６)をアダプタ(１４、４４)に固定する。これにより、意図された目的に柔軟に適用できるスライドドア用の嵌合具が可能となる。【特許請求の範囲】
【請求項１】
少なくとも１つのローラ(１３)を有する走行部品(１０、４０)が移動可能な少なくとも１つの通路を有するレール(３)を有するスライドドア(４、５)用の嵌合具であって、走行部品(１０、４０)は金属板から作られるホルダ(１１、４１)及びアダプタ(１４、４４)を有する嵌合具において、
少なくとも１つの保持手段(２０、２８、５２、５３、５５)がアダプタ(１４、４４)上に配備されて、少なくとも１つの更なる機能部品(１７、２１、２４、２６、３０、４７、５０、５６)をアダプタ(１４、４４)上に固定する、嵌合具。
【請求項２】
少なくとも２つの保持手段(２０、２８、５５)がアダプタ上に配備されて、アダプタ(１４、４４)上に２つの機能部品(２１、２４、２６、３０、４７、５６)を固定する、請求項１に記載の嵌合具。
【請求項３】
前記保持手段(２０、２８、５５)は、溝、凹部、フック及び/又は開口として形成される、請求項１又は２に記載の嵌合具。
【請求項４】
前記機能部品(２１、２４、２６、３０、４７、４９、５６)は、アダプタ(１４、４４)上にクランプ及び/又はラッチする方法で固定可能である、請求項１乃至３の何れかに記載の嵌合具。
【請求項５】
開き又は閉じ動作用に、走行部品(１０、４０)を自己引込み具に連結する少なくとも１つの活動体(２７、２９、４９)がアダプタ(１４、４４)上に配置され、又はアダプタ(１４、４４)と一体に形成される、請求項１乃至４の何れかに記載の嵌合具。
【請求項６】
少なくとも１つのストッパ(３１、２５、５６)が、隣接するスライドドア(４、５)の走行部品(１０、４０)に対するスペーサとして、アダプタ(１４、４４)上に取り付けられる、請求項１乃至５の何れかに記載の嵌合具。
【請求項７】
前記レール(３)の下側に係合する少なくとも１つの安全キャッチ(１７、５０)がアダプタ(１４、４４)上に取り付けられた、請求項１乃至６の何れかに記載の嵌合具。
【請求項８】
アンダーカット溝(２０)がアダプタ(１４)の上側に形成されて、該溝内に機能部品(２１、２４、２６)が挿入可能である、請求項１乃至７の何れかに記載の嵌合具。
【請求項９】
前記スライドドア(４、５)の端部位置にて閉塞状態を保つ少なくとも１つのキャッチ手段(２３)を有する少なくとも１つの保持要素(２１)がアダプタ(１４)上に取り付けられた、請求項１乃至８の何れかに記載の嵌合具。
【請求項１０】
前記ローラ(１３)はアダプタ(１４、４４)の開口(５３)に固定可能である、請求項１乃至９の何れかに記載の嵌合具。
【請求項１１】
前記走行部品(１０、４０)は、少なくとも２つのネジを介してスライドドア(４、５)上に固定可能で、これらのネジは更にアダプタ(１４、４４)をホルダ(１１、４１)上に固定する、請求項１乃至１０の何れかに記載の嵌合具。
【請求項１２】
前記アダプタ(１４、４４)をホルダ(１１、４１)上に詰め且つ一時的に固定する手段が配備された、請求項１乃至１１の何れかに記載の嵌合具。
【請求項１３】
前スライドドア(５)用の走行部品(４０)及び後スライドドア(４)用の走行部品(１０)を備え、機能部品(２１、２４、２６、３０、４７、４９、５６)を取り付けるためのアダプタ(１４、４４)が両走行部品(１０、４０)に配備された、請求項１乃至１２の何れかに記載の嵌合具。
【発明の詳細な説明】
【技術分野】
【０００１】
本発明は、スライドドア用の嵌合具、特に少なくとも１つの走路を有するレールを備えた家具又は家庭用器具又は隔壁の要素に関し、該レールに沿って少なくとも１つのローラを有する走行部品が移動可能であり、該走行部品は金属板から成るホルダ及びアダプタを備えている。
【背景技術】
【０００２】
ドイツ公開公報102011050395号はスライドドア用の嵌合具を開示し、スライドドアは走行部品を介してレール上に移動可能に保持される。各走行部品は回転可能に取り付けられたローラ、及びレールの長手方向に沿って走行部品の保持プレートに固定される安全キャッチを備えている。この場合、安全キャッチはホルダに固定され、回転可能に取り付けられたレバーを有する。更に、自己引込み器に連結された活動体が配備される。そのような走行部品には、走行部品の種々の更なる機能について、通常は走行部品の金属板上に別個の固定具が実行されるとの問題が存在する。多数の要素及び固定具がこのように必要となる。更に、取付けは複雑であることが証明される、何故なら全ての機能部品は金属板上にて個々に位置し固定されるからである。
【０００３】
従って、本発明の目的は機能部品の取付け時に、柔軟性が増加することを可能にするスライドドア用の嵌合具を提供することにある。
この目的は、請求項１の特徴を有するスライドドア用の嵌合具によって達成される。
【発明の概要】
【０００４】
本発明に従った嵌合具において、金属板で作られたホルダ及びアダプタが走行部品に付与されて、走行部品に安全キャッチが固定される。更に、少なくとも１つの保持手段がアダプタ上に形成されて、アダプタ上に更なる機能部品を固定し、嵌合具のデザインにより、付随的な部分がアダプタ上に固定される。この場合、アダプタ上への機能部品の取付けは、ツール無しで実行され、機能部品は単にアダプタ上に、差し込まれ、押し込まれ、又は他の方法で取り付けられる。家具要素の組立て時に、嵌合部がどの機能を担うかが決定され、対応する嵌合部は単にアダプタ上に取り付けられる。
【０００５】
少なくとも２つの保持手段、特に少なくとも３つの保持手段がアダプタ上に配備されて、アダプタ上に２又は３つの別個の機能部品を固定するのが好ましい。保持手段はこの場合、どの接続機構が機能部品と一致するかに応じて、溝、凹部、フック及び/又は開口として形成される。機能部品はアダプタ上にクランプ及び/又はラッチする方法で固定される。
【０００６】
本発明の更なる実施形態において、開き又は閉じ動作用に、走行部品を自己引込み具に連結する少なくとも１つの活動体がアダプタ上に配置され、又はアダプタと一体に形成される。自己引込み具は、該自己引込み具が取り付けられる位置によって、スライドドアを開き方向又は閉じ方向の両方へ移動させる。自己引込み具はこの場合、減衰するように構成され、スライドドアは端部位置に達する前に減速される。
【０００７】
或いは又は更に、少なくとも１つのストッパが、隣接するスライドドアの走行部品に対するスペーサとして、アダプタ上に取り付けられる。開き動作時に、スライドドアはこのように、隣接するスライドドアに対する最大の端部位置にまで動かされる。
【０００８】
機能部品を容易に取り付けるべく、その中に機能部品が挿入されるアンダーカット溝がアダプタの上側又は他の側に形成される。これにより、取付けが簡単になり、多数の機能部品を互いに隣り合うように配置することも可能になる。
更なる実施形態において、スライドドアの端部位置に閉鎖した状態を保つラッチ手段がアダプタ上に取り付けられる。
【０００９】
個々の容器及び保持手段をアダプタに付与すべく、アダプタはプラスチックから生産され、特に射出成型法で生産されるのが好ましい。この場合、アダプタは走行部品の金属板上にネジにて固定され、ネジは同時に走行部品をスライドドア上に固定するのに用いられ、ネジはアダプタをホルダに固定し、走行部品をスライドドアに固定する。アダプタはこの目的から、ネジ頭用の開口が等しいネジ長さを有する同じネジの使用を可能にすべく、拡げられるように構成されるのが好ましい。これにより、スライドドアの表面を損傷する不正確なネジの選択を避け、又はスライドドア/走行部品の最小搬送容量が少なくなることを避ける。
更に、均一な固定材料が用いられて、ストックの維持と取付けを大いに容易にする。
更に、アダプタをホルダに詰め且つ一時的に固定する手段が配備され、取付けを容易にする。
【００１０】
本発明に従った嵌合具において、２つの走行部品が配備されるのが好ましく、１つは前スライドドア用であり、１つは後スライドドア用であり、機能部品を取り付けるためのアダプタが両走行部品に配備される。
【図面の簡単な説明】
【００１１】
本発明は、添付の図面を参照することにより、幾つかの例示的な実施形態に基づいて、詳細に以下に説明される。
【図１】本発明に従った嵌合具を有する各要素の斜視図である。
【図２】前ドア用の嵌合具の斜視図である。
【図３】後ドア用の嵌合具の斜視図である。
【図４】走行部品を示す図である。
【図５Ａ】異なる構成における図４の走行部品の図である。
【図５Ｂ】異なる構成における図４の走行部品の図である。
【図５Ｃ】異なる構成における図４の走行部品の図である。
【図５Ｄ】異なる構成における図４の走行部品の図である。
【図５Ｅ】異なる構成における図４の走行部品の図である。
【図６】図４の走行部品のアダプタの斜視図である。
【図７Ａ】スペーサを有する走行部品の異なる位置における図である。
【図７Ｂ】スペーサを有する走行部品の異なる位置における図である。
【図８】係合位置におけるスペーサを有する走行部品上の活動体の斜視図である。
【図９Ａ】前スライドドアの嵌合具の図である。
【図９Ｂ】前スライドドアの嵌合具の図である。
【図９Ｃ】前スライドドアの嵌合具の図である。
【図１０】図９の嵌合具のアダプタの斜視図である。
【図１１Ａ】ストッパを有する嵌合具の２つの走行部品を示す図である。
【図１１Ｂ】ストッパを有する嵌合具の２つの走行部品を示す図である。
【図１２Ａ】後スライドドア用の走行部品の図である。
【図１２Ｂ】後スライドドア用の走行部品の図である。
【図１２Ｃ】後スライドドア用の走行部品の図である。
【図１２Ｄ】後スライドドア用の走行部品の図である。
【図１２Ｅ】後スライドドア用の走行部品の図である。
【発明を実施するための形態】
【００１２】
キャビネット家具１の要素は、レール３が固定される上フロア上に家具本体２を備える。下側領域において、家具本体２のフロア上に後スライドドア４及び前スライドドア５を案内する更なるレールが配備される。
【００１３】
図２は、レール３に吊るされた前スライドドア５を保持する嵌合具の走行部品４０を示す。レール３は上通路６を有し、該上通路内に走行部品４０のローラが移動可能に保持される。自己引込み具のドライバ８に係合した活動体４９が走行部品４０に配備され、自己引込み具のハウジング７は上フロアの低い側に取り付けられている。この場合、ドライバ８はレール３の凹部を介して係合する。
【００１４】
図３は、後スライドドア４を移動可能に取り付ける走行部品１０を示す。走行部品１０はレール３の下側通路６’内を移動可能なローラを備え、通路６、６‘は垂直方向に互いに配置されている。自己引込み具のドライバ８と係合して活動体として作用する突起２９が走行部品１０上に配備され、自己引込み具のハウジング７は上側フロアの下側に取り付けられ、自己引込み具のドライバ８又は後スライドドア４はまた、レール３の開口を通って係合する。自己引込み具は、スライドドア４、５の閉方向及び必要ならば開方向の両方にて、家具本体２に亘って分散して配備される。
【００１５】
図４は、走行部品１０を詳細に示す。走行部品１０は金属板で作られたホルダ１１を備え、多数の開口１２が残されて、ホルダ１１は後スライドドア４上にネジによって固定される。開口１２を有するホルダ１１上にアダプタ１４が固定され、アダプタはホルダ１１の開口１２に合わせられて、アダプタ１４はホルダ１１に固定され、両アダプタとホルダは１つのネジによってスライドドア４上に一緒に固定される。レール３の通路６‘上を回転するローラ１３がアダプタ１４上に回転可能に取り付けられている。この場合、２以上の走行部品１０がスライドドア４上に取り付けられ得る。
【００１６】
アダプタ１４はプラスチックから作られた成形部分として生産され、機能部品を固定する多数の保持手段を有する。先ず、その上に安全キャッチが回転可能に取り付けられるベアリングウエブ１５がローラ１３の両側に配置される。安全キャッチは、ベアリングウエブ１５上に回転可能に保持されるベアリング部１６、及び固定位置にてレール３の下側で通路６’の下側に係合する下側ウエブ１７を備える。２つのウエブ１７はこの場合、ローラ１３の下側に配置されたグリップセクション１８によって互いに接続される。グリップセクション１８をホルダ１１に向けて回転させることにより、固定位置が開き、取り外すべくスライドドア４の起立が可能となる。取付け時に、スライドドアを吊るした後に、グリップ部１８は回転され、通路６‘を有するレール３のウエブは、ベアリング部１６と下側ウエブ１７の間の容器１９に収納される。
【００１７】
更にアダプタ１４は上側にアンダーカット溝２０を有し、多数の機能部品がその上に取り付けられ、溝２０内に挿入される。この場合、必要に応じてアダプタ１４に機能部品を取り付けることが可能であり、即ち機能部品の一部のみ、又は全てではない機能部品がアダプタ１４上に固定される。
【００１８】
機能部品は、保持要素２１として形成され、溝２０内にベースセクション２２で固定される。平行に配置された２つのウエブ２３がベースセクション２２に形成され、ウエブ２３は柔軟に形成されてテーパ付き首部を有し、ウエブ２３は要素上にラッチ可能であり、特に開又は閉位置にて、スライドドア４に取り外し可能に固定される。
【００１９】
更なる機能部品は、溝２０に挿入されることによって固定されるスペーサ２４である。スペーサ２４は更なる要素、特に隣接するスライドドアに対してストッパとして用いられる突き出た突起２５を有する。
更に、溝２０内に活動体２６が配備され、該活動体２６はアダプタ１４の上側にて斜め上向きに突出し、自己引込み具のドライバと係合して開き減衰を可能にする傾いた突起２７を有する。
【００２０】
更にまた、２つの突起２９がローラ１３の両側にてアダプタ１４上に形成され、該突起は活動体として用いられて、走行部品１０を自己引込み具に係合した開又は閉位置内へ動かす。これらの活動体２９を別個の要素として、アダプタ１４上に形成された対応する保持手段内に詰め又は挿入することも考えられる。
衝突ダンパ３０がアダプタ１４の片側に配備され、アダプタ１４上の開口２８に挿入される。衝突ダンパ３０は、外側ストッパ３１を有し圧縮されて減衰力を引き起こす。
【００２１】
図５Ａにおいて、アダプタ１４はホルダ１１上に固定され、更に活動体２９、安全スイッチがまた、ベアリングウエブ１４上に回転可能に固定される。さもなくば、更なる機能部品がアダプタ１４上に配備される。
図５Ｂにおいて、図５Ａに関する溝２０にスペーサ２４が挿入され、隣接するスライドドアに関するストッパとして用いられる。
図５Ｃにおいて、アダプタ１４上のスペーサ２４にはまた、活動体２６が捕捉される。
【００２２】
図５Ｄは、アダプタ１４の実施形態を示し、閉鎖を保つ保持要素２１のみが溝２０内に挿入され、スライドドアを開位置又は閉位置にラッチする。更に、衝突ダンパ３０がアダプタ１４の開口２８内に挿入される。更に、衝突ダンパ３０がアダプタ１４の開口２８内に挿入される。
図５Ｅは、衝突ダンパ３０、保持要素２１及び活動体２６がアダプタ１４上に取り付けられた構成を示す。機能部品の取付けは、意図された使用に基づいて、自由に構成される。
【００２３】
図６は、機能部品を除いて、アダプタ１４を示し、嵌合具の構成によって種々の機能部品が付随的にアダプタ１４上に固定されることが理解され得る。
【００２４】
図７Ａ及び図７Ｂは、スペーサ２４の機能を示す。スペーサ２４はアダプタ１４を介して走行部品１０上に取り付けられ、隣接するスライドドア５に対するスライドドア４の所定の距離を維持するのに用いられる。この目的から、スペーサ２４はアダプタ１４から上向きに突出し、突起２５は走行部品４０のローラ１３に隣接して配備されたストッパ３９と係合し得る。この場合、ストッパ３９はホルダ１１、４１上、又は各他のスライドドア４、５の走行部品のアダプタ１４、４４上に形成される。
【００２５】
図８は、アダプタ１４の上側溝２０に固定された活動体２６の機能を示す。活動体２６はドライバ３３の容器内の突起２７に係合し、該ドライバ３３はハウジング３２に移動可能に取り付けられる。この場合、ドライバ３３はバネによって開位置又は閉位置に張力付けられ、ドライバ３３の動き、従ってスライドドアの動きを減速すべく、ダンパが付随的に配備される。
【００２６】
図９Ａ乃至図９Ｃは、前スライドドア５の走行部品４０の代表的な実施形態を示す。スライドドア５はこの場合、２以上の走行部品４０に吊るされる。走行部品４０は金属板から作られるホルダ４１を備え、該ホルダはアングルとして形成され、水平な上セクション４２を有する。垂直セクションはこの場合、ネジによってホルダ４１をスライドドア５上に固定すべく、開口４３を備える。アダプタ４４が水平な上セクション４２に固定されて、走行部品４０上に機能部品を取り付けることが出来る。
【００２７】
アダプタ４４はこの場合、Ｕ字形のガイドウエブ４５を両側に有し、該ガイドウエブ４５内に水平セクション４２の側縁セクション４６が挿入される。これにより、ネジによってセクション４２上に取り付けた後に固定される、アダプタ４４の一時的な固定が可能となる。
【００２８】
安全キャッチがアダプタ４４上に配備され、該安全スイッチはアダプタ４４上に回転可能に取り付けられ、安全キャッチは通路６の下側でレール３の外径の下側に係合する水平ウエブ５０を備えて、スライドドア５の隆起を防ぐ。ウエブ５０はこの場合グリップセクション５１に接続されて、固定位置から解放位置内へ安全キャッチを回転させることが出来る。
【００２９】
図９Ｂはアダプタ４４を示し、閉鎖減衰用に活動体４０の形である第１の機能部品を備えている。この場合、また図２に如何にして活動体４９が自己引込み具のドライバ８と係合するかが示される。更に、ストッパ５６が活動体４９に隣接して形成され、衝突ダンパ３０用の衝撃面として作用する。
図９Ｃにおいて、走行部品４０は更に活動体４７を備え、該活動体は開きダンパの自己引込み具に係合する。この目的から、活動体４７はウエブ４８を有し、該ウエブは開きダンパ用の自己引込み具のドライバに係合する。
【００３０】
図１０は、機能部品を除いて、アダプタ４４を示す。アダプタ４４は、回転可能なローラ１３を取り付けるために、中間開口５３を有しており、安全キャッチ用のベアリング要素５２がローラの両側に配備される。更に、ネジ５７用の通路開口５４が示される。
アダプタ４４は、活動体４７及び/又は４９を取り付けるために、両側にアンダーカット溝５５を有する。
【００３１】
図１１Ａ及び図１１Ｂは、走行部品１０の衝突ダンパ３０に係合するストッパ５６の機能を示す。スライドドア４、５が互いに配置されると、先ず衝突ダンパ３０のストッパ３１がストッパ５６に達する。この場合、前スライドドア５に対する後スライドドア４の動きは減速され、前スライドドア５又は後スライドドア４が動くか否かは重要ではない。各場合において、大きな打撃音は回避され、先ず衝突ダンパ３０がストッパ５６に対して動かされる。
【００３２】
図１２Ａ乃至図１２Ｅは、後スライドドア４用の走行部品１０を示し、該走行部品上にアダプタ１４が配置される。この場合、開口１２‘は同じネジ５７がホルダ１１又はスライドドア４上にアダプタ１４を固定するのに用いられる長さ及び直径に構成され、ホルダ１１に形成された開口１２を介してホルダ１１をスライドドア４に固定することに関する。
【００３３】
図示された代表的な実施形態において、アダプタ１４、４４は様々な機能部品を備えており、該機能部品は自己引込み具、ダンパ、スペーサ又はストッパの特定の形式である。勿論、アダプタ１４、４４上に更なる機能部品を固定することも可能である。
更に、嵌合具の組立て時に、ユーザは前記のどの機能部品がアダプタ１４、４４に取り付けられるかを決定することができ、機能部品は全てツール無しで取り付けられるのが好ましく、嵌合具はビルディングブロックシステムのように適切に構築され得る。
【００３４】
１      キャビネット家具
２      家具本体
３      レール
４      スライドドア
５      スライドドア
６、６‘  通路
７      ハウジング
８      ドライバ
１０    走行部品
１１    ホルダ
１２、１２‘  開口
１３    ローラ
１４    アダプタ
１５    ベアリングウエブ
１６    ベアリング部
１７    ウエブ
１８    グリップセクション
１９    容器
２０    溝
２１    保持要素
２２    ベースセクション
２３    ウエブ
２４    スペーサ
２５    突起
２６    活動体
２７    突起
２８    開口
２９    突起
３０    衝突ダンパ
３１    ストッパ
３２    ハウジング
３３    ドライバ
３９    ストッパ
４０    走行部品
４１    ホルダ
４２    セクション
４３    開口
４４    アダプタ
４５    ガイドウエブ
４６    縁セクション
４７    活動体
４８    ウエブ
４９    活動体
５０    ウエブ
５１    グリップセクション
５２    ベアリング要素
５３    開口
５４    通路開口
５５    溝
５６    ストッパ
５７    ネジ
【図１】
2017519924.tif 000002
【図２】
2017519924.tif 000003
【図３】
2017519924.tif 000004
【図４】
2017519924.tif 000005
【図５Ａ】
2017519924.tif 000006
【図５Ｂ】
2017519924.tif 000007
【図５Ｃ】
2017519924.tif 000008
【図５Ｄ】
2017519924.tif 000009
【図５Ｅ】
2017519924.tif 000010
【図６】
2017519924.tif 000011
【図７Ａ】
2017519924.tif 000012
【図７Ｂ】
2017519924.tif 000013
【図８】
2017519924.tif 000014
【図９Ａ】
2017519924.tif 000015
【図９Ｂ】
2017519924.tif 000016
【図９Ｃ】
2017519924.tif 000017
【図１０】
2017519924.tif 000018
【図１１Ａ】
2017519924.tif 000019
【図１１Ｂ】
2017519924.tif 000020
【図１２Ａ】
2017519924.tif 000021
【図１２Ｂ】
2017519924.tif 000022
【図１２Ｃ】
2017519924.tif 000023
【図１２Ｄ】
2017519924.tif 000024
【図１２Ｅ】
2017519924.tif 000025
【国際調査報告】
2017519924.tif 000026
2017519924.tif 000027
2017519924.tif 000028
2017519924.tif 000029
2017519924.tif 000030
2017519924.tif 000031